(57)【要約】      （修正有）【課題】装着者が前かがみになっても抱っこ対象が抜け落ちることを防止し、抱っこ対象にとって快適な環境を付与することができ、さらに乳幼児が育った後も再利用できるように考慮された構造を有する抱っこ紐を提供する。【解決手段】抱っこ紐１は、環状に形成された２本の平帯状の帯体２と、帯体２が互いに交差する部分として形成される尻受け交差部３及び背受け交差部４と、尻受け交差部３から離間して２本の帯体２間に架け渡された平帯状の背受け帯５と、背受け帯５と尻受け交差部３、及び２本の帯体２によって囲繞された開口部６とを備えている。【選択図】図１
0003198687.tif 000002
【実用新案登録請求の範囲】
【請求項１】
環状に形成された２本の平帯状の帯体と、
該帯体が互いに交差する部分として形成される尻受け交差部及び背受け交差部と、
前記尻受け交差部から離間して前記２本の帯体間に架け渡された平帯状の背受け帯と、
該背受け帯と前記尻受け交差部、及び前記２本の帯体によって囲繞された開口部とを備えたことを特徴とする抱っこ紐。
【請求項２】
前記尻受け交差部は正方形形状に形成され、前記背受け交差部は菱形形状に形成されていることを特徴とする請求項１に記載の抱っこ紐。
【請求項３】
前記尻受け交差部から前記背受け交差部に延びる前記帯体のうち、前記背受け帯が架け渡された側を腹側帯部とし、他方を背側帯部とし、
前記腹側帯部は、前記背側帯部より長いことを特徴とする請求項１又は２に記載の抱っこ紐。
【考案の詳細な説明】
【技術分野】
【０００１】
本考案は、乳幼児及び犬等の愛玩動物を抱えるための抱っこ紐に関する。
【背景技術】
【０００２】
乳幼児を抱っこする際の補助具として、抱っこ紐が知られている。この抱っこ紐は種々のものがあるが、乳幼児を傷つけないために全体が非金属製で形成されていることが好ましい。しかし現状では、例えばスライド式のファスナーがついていたり、紐の長さを調整するためのバックル等が金属で形成されているものが多い。このような金属物は乳幼児だけでなく、保護者にとっても身体に当たると不快である。抱っこ紐としては、特許文献１のようなものが知られている。特許文献１に記載の抱っこ紐は、全体を非金属製として形成している。
【先行技術文献】
【特許文献】
【０００３】
【特許文献１】実用新案登録第３１３８０６５号公報
【考案の概要】
【考案が解決しようとする課題】
【０００４】
しかしながら、抱っこ紐を装着している保護者等の装着者が前かがみになったとき、乳幼児等の抱っこ対象が抱っこ紐の上方から抜け落ちてしまうことがある。また、抱っこ紐は抱っこ対象を全体的にくるんでいるものが多く、その内部は蒸れやすく抱っこ対象にとって快適な環境を与えるものではない。また、抱っこ対象となる乳幼児が抱っこ紐で抱きかかえられる期間は長くても３年程度であり（乳幼児の成長のため）、その後、この抱っこ紐の再利用について考慮されたものはない。
【０００５】
本考案は、上記従来技術を考慮したものであり、装着者が前かがみになっても抱っこ対象が抜け落ちることを防止し、抱っこ対象にとって快適な環境を付与することができ、さらに乳幼児が育った後も再利用できるように考慮された構造を有する抱っこ紐を提供することを目的とする。
【課題を解決するための手段】
【０００６】
前記目的を達成するため、本考案では、環状に形成された２本の平帯状の帯体と、該帯体が互いに交差する部分として形成される尻受け交差部及び背受け交差部と、前記尻受け交差部から離間して前記２本の帯体間に架け渡された平帯状の背受け帯と、該背受け帯と前記尻受け交差部、及び前記２本の帯体によって囲繞された開口部とを備えたことを特徴とする抱っこ紐を提供する。
【０００７】
好ましくは、前記尻受け交差部は正方形形状に形成され、前記背受け交差部は菱形形状に形成されている。
【０００８】
好ましくは、前記尻受け交差部から前記背受け交差部に延びる前記帯体のうち、前記背受け帯が架け渡された側を腹側帯部とし、他方を背側帯部とし、前記腹側帯部は、前記背側帯部より長い。
【考案の効果】
【０００９】
本考案によれば、抱っこ紐は背受け帯と尻受け交差部、及び２本の帯体によって囲繞された開口部を有しているので、背受け帯が抱っこ対象たる乳幼児の背中（腰ではなく）に配されることになる。したがって乳幼児の腹は装着者の腹と密着してホールドされ、乳幼児の尻は尻受け交差部で支持され、背中は背受け帯にて覆われてホールドされる。このため、装着者が前かがみになっても抱っこ対象はしっかりと全体をホールドされているので抜け落ちることが防止される。また、開口部を設けることで抱っこ対象の尻から背にかけて通気口としての役割を持たせることができ、抱っこ対象たる乳幼児が装着者に抱っこされている間に蒸れてしまうことを防止し、抱っこ対象にとって快適な環境を付与することができる。また、犬等の尾を有する愛玩動物を抱っこした際、開口部を通じてこれら愛玩動物の尾を外側に配させることができる。したがって尾が尻受け交差部や背受け帯で圧迫されることはないので愛玩動物にも好適に利用できる。このことは、抱っこ対象たる乳幼児が育った後に抱っこ紐を再利用できることにつながり、抱っこ紐を永続的に有効利用できる効果に資する。
【００１０】
また、尻受け交差部は正方形形状に形成され、背受け交差部は菱形形状に形成されているため、尻受け交差部にて抱っこ対象の尻をしっかりと支持することができる。尻受け交差部が正方形形状ということは、２本の帯体により形成される角度（９０°）が抱っこ対象の足が配される空間と、抱っこ対象の背中側に延びる帯体の左右方向への広がりとして好適である。また、抱っこ紐を装着した場合、尻受け交差部から背受け交差部を通って装着者の肩までの範囲は縦長であるので、背受け交差部を菱形としてこの縦長に適した角度で帯体を配することができる。
【００１１】
また、腹側帯部を背側帯部より長くすることで、抱っこ紐装着時に尻受け交差部を鉛直下方側の位置に配した際に、背受け交差部を装着者の背中に配することができる。また腹側帯部を長くすることで、腹側帯部の上方側に抱っこ対象を受け入れるだけに十分なスペースを確保することができる。
【図面の簡単な説明】
【００１２】
【図１】本考案に係る抱っこ紐の概略正面図である。
【図２】本考案に係る抱っこ紐を腹側から視たときの概略斜視図である。
【図３】本考案に係る抱っこ紐を背側から視たときの概略斜視図である。
【図４】本考案に係る抱っこ紐を用いて乳幼児を抱っこしたときの腹側から視た概略図である。
【図５】本考案に係る抱っこ紐を用いて乳幼児を抱っこしたときの背側から見た概略図である。
【図６】本考案に係る抱っこ紐を用いて犬を抱っこしたときの腹側から視た概略図である。
【考案を実施するための形態】
【００１３】
図１〜図３に示すように、本考案に係る抱っこ紐１は、環状に形成された２本の平帯状の帯体２を互いに交差したような形状に形成されている。２本の帯体２が交差するような形状であるので、交差する部分は２箇所形成される。この２箇所の交差する部分がそれぞれ尻受け交差部３及び背受け交差部４となる。尻受け交差部３から離間した位置であって２本の帯体２間には、平帯状の背受け帯５が架け渡されている。この背受け帯５と尻受け交差部３、及び２本の帯体２によって囲繞された部分は開口部６として形成されている。
【００１４】
上記抱っこ紐１を別の表現で換言すれば、尻受け交差部３から背受け交差部４に向けて４本の帯体２がそれぞれ延び、それぞれ接続されている。この尻受け交差部３から背受け交差部４に延びる帯体２のうち、背受け帯５が架け渡された側が腹側帯部７、他方が背側帯部８として形成される。すなわち、腹側帯部７も背側帯部８もそれぞれ２本の帯体２で形成されている。従って抱っこ紐１を形成する際は、上記帯体２は環状の２本の帯体を交差させて形成してもよいし、尻受け交差部３から４本の帯体２を別々に延ばすようにして形成してもよい。要は、完成された抱っこ紐１として環状の２本の帯体２が２箇所で交差したような形状となっている。
【００１５】
なお、帯体２の幅は６ｃｍ〜６．５ｃｍが好ましいがこれに限定されるものではない。さらに帯体２及び背受け帯５はサテンキルト等の布地から形成されることが好ましい。このような生地で形成すれば、軽量化にも寄与できるし、容易に小さくたたむことができる。
【００１６】
この抱っこ紐１を実際に装着者１２（図４〜図６参照）が装着する場合、背側帯部８、尻受け交差部３及び背受け交差部４で囲まれた開口部分である装着部９に対して頭及び腕を入れ込む。すなわち、装着部９から被るようにして身体を入れ込む。そして、腹側帯部７、背受け交差部４及び背受け帯５で囲まれた開口部分である導入部１０から頭を出す。抱っこ紐１の左右それぞれには、腹側帯部７、背側帯部８、尻受け交差部３及び背受け交差部４で囲まれた開口部分である側部１１が形成されていて、腕はこの側部１１からそれぞれ出される。これにより、装着者は抱っこ紐１を装着したことになる。
【００１７】
そして、図４及び図５に示すように抱っこ紐１にて抱っこすべき抱っこ対象１３が乳幼児の場合、乳幼児は足側から導入部１０に入れ込まれ、左右の足はそれぞれ左右の側部１１から出される。このとき、乳幼児の背中は背受け帯５にて支持され、乳幼児の尻は尻受け交差部３にて確実に受けられる。そして、乳幼児の腹は装着者１２の腹と密着する。これにより、乳幼児は確実に抱っこ紐１と装着者１２との間でホールドされる。
【００１８】
すなわち、背受け帯５と尻受け交差部３、及び２本の帯体２によって囲繞された開口部６を設けたことにより、尻受け交差部３と背受け帯５との間には開口部６の分だけ離間することになる。これは、背受け帯５が抱っこ対象１３たる乳幼児の背中（腰ではなく）に位置することになる。したがって上述したように、乳幼児の腹は装着者１２の腹と密着してホールドされ、乳幼児の尻は尻受け交差部３で支持され、背中は背受け帯５にて覆われてホールドされる。このため、装着者１３が前かがみになっても抱っこ対象はしっかりと全体をホールドされ、抜け落ちることが防止される。また抱っこ紐１は非金属製であるため、装着者１２や抱っこ対象１３に不快感を与えることはない。
【００１９】
また、背受け帯５を尻受け交差部３から連続して形成するのではなく、空間としての開口部６を介して設けることにより、抱っこ対象１３の尻から背にかけての部分が開口部６を通じて露出することになる。これは、開口部６に通気口としての役割を持たせることができ、抱っこ対象１３たる乳幼児が装着者１２に抱っこされている間に当該部分が蒸れてしまうことを防止できる。すなわち、抱っこ対象にとって快適な環境を付与することができる。なお、上述したように尻受け交差部３は抱っこ対象１３の尻を受ける部分であり、抱っこ対象１３の重力を最も受ける部分であるから、やや厚みを持たせるためのパッドを設けてもよい。これにより、さらに快適な環境を抱っこ対象に与えることができる。パッドとしては、帯体２と同様の生地を尻受け交差部３と同様の大きさで取り付けてもよい。このようにすれば、パッドが目立たないため見栄えも考慮される。
【００２０】
ここで、尻受け交差部３は正方形形状に形成され、背受け交差部４は菱形形状に形成されている。すなわち、両交差部３、４の帯体２の交差角度は異なるように形成されている。このように、尻受け交差部３を正方形形状に、背受け交差部４を菱形形状に形成することで、尻受け交差部３にて抱っこ対象１３の尻をしっかりと支持することができるようになる。すなわち、尻受け交差部３が正方形形状ということは、２本の帯体２により形成される角度（９０°）が、抱っこ対象１３の足が配される空間（抱っこ対象１３の足を両側の側部１１に入れやすい）と、抱っこ対象１３の背中側に延びる帯体２の左右方向への広がり（抱っこ対象１３の背中の脇を帯体２が通るようになってホールド感が向上する）として好適である。さらに言えば、装着部９の形状もこの帯体２の交差角度によって定まるが、この９０°という角度が最適である（装着者１２の身体を入れやすい）。
【００２１】
一方で、尻受け交差部３から背受け交差部４を通る帯体２（背側帯部８）及び背受け交差部４から装着者１２の肩までの帯体２（腹側帯部７の一部）に亘る範囲は縦長である。背受け交差部４を菱形とすることで、この縦長に適した角度で帯体２を配することができる。したがって、抱っこ紐１を装着した装着者１２に違和感を与えることなく心地よい装着感を与えることができる。
【００２２】
さらに、腹側帯部７は、背側帯部８より長く形成されている。このように、腹側帯部７を背側帯部８より長くすることで、抱っこ紐１を装着時に尻受け交差部３を鉛直下方側の位置に配した際に、背受け交差部４を装着者の背中に配することができる（腹側帯部７と背側帯部８が同長さであると背受け交差部４が装着者１２の首に引っかかって配されてしまう）。これにより、背受け交差部４が装着者１２の背中に配されるので、この背受け交差部４が配された背中、及び腹側帯部７が配される両肩にて抱っこ対象１３を支えることになり、装着者１２への負担を軽減させることができる。また、腹側帯部７を長くすることで、腹側帯部７の上方側に抱っこ対象１３を受け入れるだけに十分なスペースを確保することができる。
【００２３】
また、本考案に係る抱っこ紐１は、犬等の尾を有する愛玩動物を抱っこ対象１３とした場合であっても適している。図６に示すように、このような愛玩動物を抱っこする場合、開口部６を通じてこれら愛玩動物の尾１４を外側に配させることができる。したがって尾１４が尻受け交差部３や背受け帯５で圧迫されることはなくなり、愛玩動物にも好適に利用できる。このことは、抱っこ対象１３たる乳幼児が育った後に抱っこ紐１を再利用できることにつながり、抱っこ紐１を永続的に有効利用できる効果に資する。すなわち、開口部６という、尻受け交差部３と背受け帯５とを明確に離間させて形成されたスペースを設けることで上記効果は得られるものであり、そのスペースは上述した蒸れ防止ができる程度必要である。開口部６としては単に尾１４を出せる程度の隙間でもよいが、蒸れ防止という観点からはさらに尻受け交差部３と背受け帯５との間がはっきりと認識できるように離間させることが好ましい。したがって、背受け帯５はあくまで抱っこ対象の背を受けるものであり、腰を受けるものではない方が好ましい。腰を受けるような位置であると背受け帯５と尻受け交差部３との距離が近くなってしまい、その間がはっきりと認識できるように離間されてないから蒸れ防止という観点からは好ましくない。背受け帯５の具体的な位置としては、図４に示すように乳幼児（抱っこ対象１３）の脇が当接する位置にあることが蒸れ防止のための開口部６のスペース、抱っこ対象１３の抜け落ち防止の観点から好ましい。
【符号の説明】
【００２４】
１：抱っこ紐、２：帯体、３：尻受け交差部、４：背受け交差部、５：背受け帯、６：開口部、７：腹側帯部、８：背側帯部、９：装着部、１０：導入部、１１：側部、１２：装着者、１３：抱っこ対象、１４：尾
【図１】
0003198687.tif 000003
【図２】
0003198687.tif 000004
【図３】
0003198687.tif 000005
【図４】
0003198687.tif 000006
【図５】
0003198687.tif 000007
【図６】
0003198687.tif 000008